(57)【要約】      （修正有）【課題】使用可能なフィルム素材の自由度の向上を図るとともに、紫外線の遮蔽率を容易かつ安価に変更できる紫外線カット機能を備える積層フィルム、および当該積層フィルムを用いて構成されたブックカバーを提供する。【解決手段】積層フィルム１は、透光性を有する樹脂からなる第１フィルム２と、第１フィルム２に積層される、透光性を有する樹脂からなる第２フィルム３と、第１フィルム２と第２フィルム３との間に設けられ、両フィルム２・３を一体化する透光性を有する接着剤からなるラミネート層４とを備える。そして、ラミネート層４を構成する接着剤に、紫外線吸収剤を添加することを特徴とする。この積層フィルム１は、ブックカバーのカバー本体に適用される。【選択図】図１
0003232396.tif 000002
【実用新案登録請求の範囲】
【請求項１】
透光性を有する樹脂からなる第１フィルム（２）と、
第１フィルム（２）上に積層される、透光性を有する樹脂からなる第２フィルム（３）と、
第１フィルム（２）と第２フィルム（３）との間に設けられ、両フィルム（２・３）を一体化する透光性を有する接着剤からなるラミネート層（４）と、
を備え、
ラミネート層（４）を構成する接着剤に、紫外線吸収剤が添加されていることを特徴とする積層フィルム。
【請求項２】
第１フィルム（２）と第２フィルム（３）とが、異なる樹脂組成物からなるフィルムで構成されている請求項１に記載の積層フィルム。
【請求項３】
ラミネート層（４）を構成する接着剤の塗布量が、３ｇ／ｍ２以上、２０ｇ／ｍ２以下に設定されている請求項１または２に記載の積層フィルム。
【請求項４】
書籍（Ｂ）の表紙（Ｂ１）、裏表紙（Ｂ３）、および背表紙（Ｂ２）に被さるカバー本体（１４）を備えており、
カバー本体（１４）が、透光性を有する樹脂からなる第１および第２のフィルム（２・３）を、紫外線吸収剤が添加された接着剤からなるラミネート層（４）で一体に積層した積層フィルム（１）で構成されていることを特徴とするブックカバー。
【請求項５】
カバー本体（１４）を構成する積層フィルム（１）における第１フィルム（２）は、無延伸ポリプロピレンからなるフィルムで構成され、第２フィルム（３）は、２軸延伸ポリプロピレンからなるフィルムで構成されている請求項４に記載のブックカバー。
【請求項６】
カバー本体（１４）の一端に、書籍（Ｂ）の表紙（Ｂ１）、または裏表紙（Ｂ３）が差し込まれる、一辺が開口する袋部（１５）を備えており、
袋部（１５）は、カバー本体（１４）の一端が折り返され、折り返された辺の各端部に連続する一対の辺部（２４・２４）がヒートシールされて形成されており、
袋部（１５）の内側面に、無延伸ポリプロピレンからなるフィルムで構成された第１フィルム（２）が配されている請求項５に記載のブックカバー。
【考案の詳細な説明】
【技術分野】
【０００１】
本考案は、紫外線を遮蔽する積層フィルム、およびこの積層フィルムを用いて構成されたブックカバーに関する。
【背景技術】
【０００２】
紫外線を遮蔽する積層フィルム、および同フィルムでブックカバーを構成することは、例えば特許文献１に開示されている。特許文献１のブックカバーは、ＣＰＰ（Cast Polypropylene：無延伸ポリプロピレン）からなるフィルム（以下、適宜ＣＰＰフィルムと記す）と、ＯＰＰ（Oriented Polypropylene：２軸延伸ポリプロピレン）からなるフィルム（以下、適宜ＯＰＰフィルムと記す）とが積層された透明な積層フィルムで構成されている。ＯＰＰフィルムには紫外線吸収剤が配合されており、ＯＰＰフィルムは紫外線吸収剤で紫外線を遮蔽する紫外線カットフィルムとされている。
【先行技術文献】
【特許文献】
【０００３】
【特許文献１】実用新案登録第３２２２７４８号公報
【考案の概要】
【考案が解決しようとする課題】
【０００４】
特許文献１のブックカバーのように、透明な積層フィルムでブックカバーを構成すると、ブックカバーを書籍に装着した状態でも書籍の表紙等を明確に視認することが可能となる。また、紫外線カットフィルムで紫外線を遮蔽することにより、書籍に紫外線が照射されるのを抑えて、書籍の表紙等が紫外線で色あせるのを防ぐことができる。しかし、特許文献１では、積層フィルムに求められる性状に応じて、同フィルムを構成するフィルム素材を変更する場合でも、紫外線カットフィルムを使用することが必須であり、使用できるフィルム素材が限定される点に不利がある。また、紫外線の遮蔽率が異なる積層フィルムを製造する場合には、求められる遮蔽率の紫外線カットフィルムを様々に用意する必要があり、紫外線の遮蔽率を変更することは容易ではなく、コストも嵩む。
【０００５】
本考案は、紫外線カット機能を備えた積層フィルムにおいて、使用可能なフィルム素材の選択の自由度の各段の向上を図るとともに、紫外線の遮蔽率を容易かつ安価に変更できるようにすることを目的とする。
本考案の他の目的は、積層フィルムを用いて構成された、紫外線カット機能を備えるブックカバーを提供することを目的とする。
【課題を解決するための手段】
【０００６】
本考案に係る積層フィルムは、透光性を有する樹脂からなる第１フィルム２と、第１フィルム２上に積層される、透光性を有する樹脂からなる第２フィルム３と、これら第１フィルム２と第２フィルム３との間に設けられ、両フィルム２・３を一体化する透光性を有する接着剤からなるラミネート層４とを備え、ラミネート層４を構成する接着剤に、紫外線吸収剤が添加されていることを特徴とする。
【０００７】
第１フィルム２と第２フィルム３とが、異なる樹脂組成物からなるフィルムで構成されている。
【０００８】
ラミネート層４を構成する接着剤の塗布量が、３ｇ／ｍ２以上、２０ｇ／ｍ２以下に設定されていることが好ましい。
【０００９】
本考案に係るブックカバーは、書籍Ｂの表紙Ｂ１、裏表紙Ｂ３、および背表紙Ｂ２に被さるカバー本体１４を備え、カバー本体１４が、透光性を有する樹脂からなる第１および第２のフィルム２・３を、紫外線吸収剤が添加された接着剤からなるラミネート層４で一体に積層した積層フィルム１で構成されていることを特徴とする。
【００１０】
カバー本体１４を構成する積層フィルム１における第１フィルム２は、無延伸ポリプロピレンからなるフィルムで構成され、第２フィルム３は、２軸延伸ポリプロピレンからなるフィルムで構成されている。
【００１１】
カバー本体１４の一端に、書籍Ｂの表紙Ｂ１、または裏表紙Ｂ３が差し込まれる、一辺が開口する袋部１５を備えている。袋部１５は、カバー本体１４の一端が折り返され、折り返された辺の各端部に連続する一対の辺部２４・２４がヒートシールされて形成されている。袋部１５の内側面に、無延伸ポリプロピレンからなるフィルムで構成された第１フィルム２が配されている。
【考案の効果】
【００１２】
本考案に係る積層フィルム１のように、透光性を有する樹脂からなる第１フィルム２と第２フィルム３とを一体化するラミネート層４を構成する透光性を有する接着剤に紫外線吸収剤を添加すると、積層フィルム１に照射された紫外線をラミネート層４に添加した紫外線吸収剤で吸収して遮蔽できる。このように、ラミネート層４で紫外線を遮蔽すると、第１および第２のフィルム２・３は、紫外線の遮蔽機能を有する必要がないので、材質や厚みが異なる種々のフィルム素材を使用して紫外線を遮蔽する積層フィルム１を構成できる。また、紫外線の遮蔽率は、単位体積あたりの接着剤に含まれる紫外線吸収剤で規定されるので、接着剤に添加する紫外線吸収剤の量を大小に変更するだけで紫外線の遮蔽率を調整できる。以上のように、本考案の積層フィルム１によれば、使用できるフィルム素材の自由度を向上することが可能となり、さらに紫外線の遮蔽率を容易かつ安価に変更することが可能となる。
【００１３】
第１フィルム２と第２フィルム３とが、異なる樹脂組成物からなるフィルムで構成されていると、各フィルム２・３を構成する樹脂組成物の特性を生かした積層フィルム１とすることができる。例えば、第１フィルム２が、無延伸ポリプロピレンからなるフィルム（ＣＰＰフィルム）で構成され、第２フィルム３が、２軸延伸ポリプロピレンからなるフィルム（ＯＰＰフィルム）で構成されていると、両者２・３のフィルムの特性を生かして伸びにくく、破れにくく、またヒートシール性の良好な積層フィルム１とすることができる。
【００１４】
ラミネート層４を構成する接着剤の塗布量が、３ｇ／ｍ２以上、２０ｇ／ｍ２以下に設定されていることが好ましい。本考案者の知見によれば、ラミネート層４を構成する接着剤の塗布量が、３ｇ／ｍ２未満であると、ラミネート層４中に十分な量の紫外線吸収剤を含ませることができず、紫外線の遮蔽率を高めることができない。また、ラミネート層４を構成する接着剤の塗布量が、２０ｇ／ｍ２を超えると、紫外線の遮蔽率を高く設定する場合に、多量の紫外線吸収剤を必要とする分、コストアップする不利がある。また、接着剤の厚みにより積層フィルム１の透明度が低下するおそれもある。
【００１５】
本考案に係るブックカバーにおいては、書籍Ｂの表紙Ｂ１、裏表紙Ｂ３、および背表紙Ｂ２に被さるカバー本体１４を備えており、カバー本体１４が、透光性を有する樹脂からなる第１および第２のフィルム２・３を、紫外線吸収剤が添加された接着剤からなるラミネート層４で一体に積層した積層フィルム１で構成した。このように、積層フィルム１のラミネート層４で紫外線を遮蔽すると、第１および第２のフィルム２・３は、紫外線の遮断機能を有する必要がないので、選択できるフィルム素材の自由度が高くなり、ブックカバー１３のカバー本体１４に求められる性状の積層フィルム１を容易に構成することができる。例えば、破れにくいブックカバー、透明度が高いブックカバー、安価に製造できるブックカバーなど、紫外線の遮蔽機能に加えて別の特性を備えるブックカバーを容易に製造することが可能である。
【００１６】
カバー本体１４を構成する積層フィルム１における第１フィルム２は、無延伸ポリプロピレンからなるフィルム（ＣＰＰフィルム）で構成され、第２フィルム３は、２軸延伸ポリプロピレンからなるフィルム（ＯＰＰフィルム）で構成されていると、両者２・３のフィルムの特性を生かして伸びにくく、破れにくく、またヒートシール性の良好なカバー本体１４を形成することができる。具体的には、ＣＰＰフィルムは、伸びやすい、引き裂きにくい、ヒートシール性が良好等の特性を挙げることができる。一方、ＯＰＰフィルムは、伸びにくい、引き裂きやすい、ヒートシール性が劣る等の特性を挙げることができる。これらの特性を持つＣＰＰフィルムとＯＰＰフィルムとを積層することで、両者の特性を生かしたカバー本体１４とすることができる。
【００１７】
カバー本体１４の一端に、書籍Ｂの表紙Ｂ１、または裏表紙Ｂ３が差し込まれる、一辺が開口する袋部１５を備えており、袋部１５は、カバー本体１４の一端が折り返され、折り返された辺の各端部に連続する一対の辺部２４・２４がヒートシールされて形成されており、袋部１５の内側面に、無延伸ポリプロピレンからなるフィルムで構成された第１フィルム２が配されている形態を採ることができる。これによれば、無延伸ポリプロピレンからなるフィルム（ＣＰＰフィルム）は、２軸延伸ポリプロピレンからなるフィルム（ＯＰＰフィルム）よりも、熱溶着性が優れているので、袋部１５の内側面に、２軸延伸ポリプロピレンからなるフィルムで構成された第２フィルム３が配されている形態に比べて、容易かつ確実にヒートシールすることができる。
【図面の簡単な説明】
【００１８】
【図１】本考案に係る樹脂フィルムの構造を示す断面図である。
【図２】本考案に係る樹脂フィルムの製造工程を説明するための概略図である。
【図３】本考案に係る樹脂フィルムで構成されたブックカバーの展開斜視図と、書籍の斜視図である。
【図４】本考案に係る樹脂フィルムで構成されたブックカバーを書籍に装着した状態を示す横断平面図である。
【考案を実施するための形態】
【００１９】
（実施例）  図１から図４に、本考案に係る積層フィルムと、当該積層フィルムをブックカバーに適用した実施例を示す。本実施例における前後、左右、上下とは、図３および図４に示す交差矢印と、各矢印の近傍に表記した前後、左右、上下の表示に従う。図１に示すように積層フィルム１は、第１フィルム２と第２フィルム３とが積層されており、第１および第２のフィルム２・３は、両フィルム２・３の間に設けられた接着剤からなるラミネート層４で一体化されている。第１および第２のフィルム２・３は、ともに透光性を有する樹脂からなる。ラミネート層４を構成する接着剤には紫外線吸収剤が添加されており、当該紫外線吸収剤で紫外線を吸収して、紫外線が積層フィルム１を透過するのを遮蔽する。
【００２０】
第１フィルム２は、透明な無延伸ポリプロピレンからなるフィルム（ＣＰＰフィルム）で構成されている。ＣＰＰフィルムの一般的な性状として、例えば伸びやすい、引き裂きにくい、ヒートシール性が良好である点を挙げることができる。
【００２１】
第２フィルム３は、透明な２軸延伸ポリプロピレンからなるフィルム（ＯＰＰフィルム）で構成されている。ＯＰＰフィルムの一般的な性状として、例えば伸びにくい、引き裂きやすい、ヒートシール性が劣る点を挙げることができる。
【００２２】
ラミネート層４を構成する接着剤は、硬化後も柔軟性に富み、透明度の高いものが好ましい。ラミネート層４における紫外線の遮蔽率は、単位体積あたりの接着剤に含まれる紫外線吸収剤で規定されるので、接着剤に添加する紫外線吸収剤の量を大小に変更することにより、紫外線の遮蔽率を調整できる。接着剤および紫外線吸収剤は、市販のものを使用することができる。
【００２３】
ラミネート層４を構成する接着剤の塗布量が、３ｇ／ｍ２以上、２０ｇ／ｍ２以下に設定されていることが好ましい。これは、ラミネート層４を構成する接着剤の塗布量が、３ｇ／ｍ２未満であると、ラミネート層４中に十分な量の紫外線吸収剤を含ませることができず、紫外線の遮蔽率を高めることができないからである。また、ラミネート層４を構成する接着剤の塗布量が、２０ｇ／ｍ２を超えると、紫外線の遮蔽率を高く設定する場合に、多量の紫外線吸収剤を必要とする分、コストアップする不利があり、また、接着剤の厚みにより積層フィルムの透明度が低下するおそれがあるからである。
【００２４】
ここで、図２を用いて本考案に係る積層フィルム１の製造工程を説明する。なお、接着剤を塗布するロールコータ７には、所望の紫外線の遮蔽率が発揮されるように紫外線吸収剤を調整添加した接着剤が充填されている。まず、ロール状に巻回された第１フィルム原反８から第１フィルム２を連続的に送り出しながら、ロールコータ７で第１フィルム２の一側面の幅全域にわたって接着剤を連続的に塗布してラミネート層４を形成する。次いで、ロール状に巻回された第２フィルム原反９から第２フィルム３を連続的に送り出しながら、ラミネート層４が形成された第１フィルム２とともにラミネータ１０に通す。これにて、両フィルム２・３は圧着され積層フィルム１が形成される。形成された積層フィルム１は、図示していない巻取り装置でロール状に巻き取られる。
【００２５】
以上のように、本実施例の積層フィルム１では、透光性を有する樹脂からなる第１フィルム２と第２フィルム３とを一体化するラミネート層４を構成する接着剤に紫外線吸収剤を添加したので、積層フィルム１に照射された紫外線をラミネート層４に添加した紫外線吸収剤で吸収して遮蔽できる。このように、ラミネート層４で紫外線を遮蔽すると、第１および第２のフィルム２・３は、紫外線の遮蔽機能を有する必要がないので、材質や厚みが異なる種々のフィルム素材を使用して紫外線を遮蔽する積層フィルム１を構成できる。また、接着剤に添加する紫外線吸収剤の量を大小に変更するだけで紫外線の遮蔽率を調整できる。以上のように、本実施例の積層フィルム１によれば、使用できるフィルム素材の自由度を向上することが可能となり、さらに紫外線の遮蔽率を容易かつ安価に変更することが可能となる。
【００２６】
第１フィルム２と第２フィルム３とは、異なる樹脂組成物からなるフィルムで構成したので、各フィルム２・３を構成する樹脂組成物の特性を生かした積層フィルム１とすることができる。上記のように、第１フィルム２を無延伸ポリプロピレンからなるフィルム（ＣＰＰフィルム）で構成し、第２フィルム３を２軸延伸ポリプロピレンからなるフィルム（ＯＰＰフィルム）で構成した積層フィルム１によれば、両者２・３のフィルムの特性を生かして伸びにくく、破れにくく、またヒートシール性の良好な積層フィルム１とすることができる。
【００２７】
上記の積層フィルム１においては、フィルム素材として無延伸ポリプロピレンと２軸延伸ポリプロピレンを使用したが、これら以外のフィルム素材を使用することも可能である。使用可能なフィルム素材としては、例えば、ポリエチレン、ポリエチレンテレフタレート、ポリエチレンナフタレート、ポリアミド、ポリ塩化ビニル、ポリスチレン、アクリルなどのフィルムを挙げることができる。
【００２８】
本実施例に係るブックカバー１３は上記の構成の積層フィルム１が使用されており、ブックカバー１３が適用される書籍Ｂはコミックスである。図３に示すようにブックカバー１３は、上下幅が書籍Ｂの上下寸法より僅かに大きな左右に長い長方形状のカバー本体１４を備えており、カバー本体１４の右端側に袋部１５が設けられ、カバー本体１４の左右中央部より左寄りに帯体１６が設けられている。カバー本体１４は、書籍Ｂ側の面（図３における前側面）が第１フィルム２（ＣＰＰフィルム）であり、書籍Ｂと逆側の面（図３における後側面）が第２フィルム３（ＯＰＰフィルム）である。
【００２９】
本実施例に係る積層フィルム１をブックカバー１３に適用する場合、ＣＰＰフィルムからなる第１フィルム２の厚み寸法は、２０μｍ以上、６０μｍ以下に設定し、ＯＰＰフィルムからなる第２フィルム３の厚み寸法は、２０μｍ以上、６０μｍ以下に設定されていることが好ましい。これは、第１フィルム２の厚み寸法が、２０μｍ未満であると、カバー本体１４が破れやすくなるおそれがあり、第１フィルム２の厚み寸法が、６０μｍを超えると、カバー本体１４の透明度が低下するおそれがあるからである。また、第２フィルム３の厚み寸法が、２０μｍ未満であると、カバー本体１４に伸びによる変形が生じるおそれがあり、第２フィルム３の厚み寸法が、６０μｍを超えると、カバー本体１４の柔軟性が低下するおそれがあるからである。
【００３０】
図３に示すようにカバー本体１４は、装着時に書籍Ｂの表紙Ｂ１に被さる表紙片１９と、表紙片１９の左端に連続して背表紙Ｂ２に被さる背表紙片２０と、背表紙片２０の左端に連続して裏表紙Ｂ３に被さる裏表紙片２１と、裏表紙片２１の左端に連続して、裏表紙Ｂ３の内側に折り返される折返し片２２とを一体に備えている。（図３において一点鎖線は各片１９・２０・２１・２２の境界を示す線である。）また、カバー本体１４は、表紙片１９の右端に連続して表紙片１９の前側に折り返される袋片２３を一体に備えており、袋片２３を表紙片１９の前側に折り返した状態で、袋片２３の上下の辺部（折り返された辺の各端部に連続する一対の辺部）２４・２４を表紙片１９にヒートシールで溶着することにより、表紙片１９と袋片２３とで左辺部（一辺）が開口する袋部１５が形成される。袋片２３を前側に折り込んだとき、表紙片１９と袋片２３とが対向する面、すなわち袋部１５の内面側は、ＣＰＰフィルムからなる第１フィルム２であるので、ヒートシールで容易に溶着できる。ブックカバー１３を書籍Ｂに装着するとき、袋部１５には、表紙Ｂ１が差し込まれる（図４参照）。
【００３１】
帯体１６は上下に長い長方形状に形成されており、その上下長さはカバー本体１４の上下長さと同一に形成されている。帯体１６は裏表紙片２１の前面に設けられており、裏表紙片２１に正対する帯体１６の面（図３における後側面）は、第１フィルム２（ＣＰＰフィルム）である。帯体１６と裏表紙片２１とは、上下辺部のそれぞれがヒートシールで溶着されている。帯体１６と裏表紙片２１とが対向する面は、ＣＰＰフィルムからなる第１フィルム２であるので、ヒートシールで容易に溶着できる。ブックカバー１３を書籍Ｂに装着するとき、帯体１６と裏表紙片２１との間に裏表紙Ｂ３が差し込まれる（図４参照）。
【００３２】
帯体１６の前面には、帯体１６の上下にわたって粘着層２６が設けられている。粘着層２６の前面には剥離シート２７が貼着されており、該剥離シート２７で粘着層２６は保護されている。粘着層２６は、ブックカバー１３を書籍Ｂに装着するとき、裏表紙Ｂ３の内側に折り返された折返し片２２を保持するために設けられている。
【００３３】
ここで、書籍Ｂへのブックカバー１３の装着方法を説明する。ます、帯体１６と裏表紙片２１との間に裏表紙Ｂ３を深く差込み、この状態で表紙Ｂ１の先端を袋部１５の内部に奥まで差込む。次いで、表紙片１９、背表紙片２０、および裏表紙片２１を、表紙Ｂ１、背表紙Ｂ２、および裏表紙Ｂ３にそれぞれ密着するように被せつけ、この状態で折返し片２２を裏表紙Ｂ３の内側に折り返す。最後に、剥離シート２７を剥離して粘着層２６を露出させ、粘着層２６に折り返した折返し片２２を貼着することにより、書籍Ｂへのブックカバー１３の装着が完了する。
【００３４】
以上のように、本実施例のブックカバー１３では、カバー本体１４を、透光性を有する樹脂からなる第１および第２のフィルム２・３を、紫外線吸収剤が添加された接着剤からなるラミネート層４で一体に積層した積層フィルム１で構成し、積層フィルム１のラミネート層４で紫外線を遮蔽したので、第１および第２のフィルム２・３は、紫外線の遮断機能を有する必要がないので、選択できるフィルム素材の自由度が高くなり、ブックカバー１３のカバー本体１４に求められる性状の積層フィルム１を容易に構成することができる。例えば、第１および第２のフィルム２・３の素材を変更して、破れにくいブックカバー、透明度が高いブックカバー、安価に製造できるブックカバーなど、紫外線の遮蔽機能に加えて別の特性を備えるブックカバーを製造することも容易である。
【００３５】
カバー本体１４を構成する積層フィルム１における第１フィルム２を、無延伸ポリプロピレンからなるフィルム（ＣＰＰフィルム）で構成し、第２フィルム３を、２軸延伸ポリプロピレンからなるフィルム（ＯＰＰフィルム）で構成したので、両者２・３のフィルムの特性を生かして伸びにくく、破れにくく、またヒートシール性の良好なカバー本体１４を形成することができる。
【００３６】
ヒートシールされて形成される袋部１５の内側面に、ＯＰＰフィルムよりも熱溶着性が優れるＣＰＰフィルムからなる第１フィルム２を配したので、袋部１５を容易かつ確実にヒートシールで形成することができる。
【００３７】
上記の実施例では、積層フィルム１でブックカバー１３を構成したが、本考案の積層フィルム１は、例えばポスターカバー、写真アルバムのスリーブ、アルバム型カードホルダーのスリーブ、包装袋などにも適用できる。
【符号の説明】
【００３８】
１  積層フィルム
２  第１フィルム
３  第２フィルム
４  ラミネート層
１４  カバー本体
１５  袋部
２４  辺部
Ｂ  書籍
Ｂ１  表紙
Ｂ２  背表紙
Ｂ３  裏表紙
【図１】
0003232396.tif 000003
【図２】
0003232396.tif 000004
【図３】
0003232396.tif 000005
【図４】
0003232396.tif 000006